【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
ネイバーアウェアネットワーク（ＮＡＮ）プロパティの効率的な更新を可能にするためにＮＡＮ中のアクセスポイント間で近隣情報を通信するための方法であって、
前記ＮＡＮに参加している第１のアクセスポイントにおいて前記近隣情報を生成することと、前記近隣情報は、前記第１のアクセスポイントのネットワークプロパティおよび前記第１のアクセスポイントのブロードキャスト範囲内の少なくとも１つの他のアクセスポイントのネットワークプロパティのうちの少なくとも１つを示す、
前記第１のアクセスポイントにおいて、前記ＮＡＮに参加している第２のアクセスポイントを検出することと、ここにおいて、ＮＡＮデータパスチャネルは、前記第２のアクセスポイントを前記第１のアクセスポイントに通信可能に結合する、
前記第１のアクセスポイントの前記ネットワークプロパティおよび前記第１のアクセスポイントの前記ブロードキャスト範囲内の前記少なくとも１つの他のアクセスポイントの前記ネットワークプロパティのうちの少なくとも１つに関連するデータを前記第２のアクセスポイントに提供するために、前記第１のアクセスポイントから前記第２のアクセスポイントに前記近隣情報を通信することと
を備える、方法。
【請求項２】
前記近隣情報は、ＮＡＮ動作専用チャネルを介して前記第２のアクセスポイントに通信される、請求項１に記載の方法。
【請求項３】
前記ＮＡＮ動作専用チャネルは、前記ＮＡＮに参加している複数のアクセスポイントによって共有され、前記ＮＡＮ動作専用チャネルは、前記ＮＡＮデータパスチャネルとは異なり、前記複数のアクセスポイントは、前記第１のアクセスポイントおよび前記第２のアクセスポイントを含む、請求項２に記載の方法。
【請求項４】
前記近隣情報は、１つ以上のチャネルにわたって前記複数のアクセスポイントの動作を調整するための時間同期機能（ＴＳＦ）情報を含む、請求項３に記載の方法。
【請求項５】
前記ＴＳＦ情報は、ＮＡＮのビーコン送信動作、前記ＮＡＮ内のプロキシアナウンスメント、および前記ＮＡＮ内の別の送信のうちの少なくとも１つに基づく、請求項４に記載の方法。
【請求項６】
前記第２のアクセスポイントは、前記第２のアクセスポイントの１ホップ範囲内にある第３のアクセスポイントに前記近隣情報を通信する、請求項２に記載の方法。
【請求項７】
前記第２のアクセスポイントに前記近隣情報を前記通信することの前に、１つ以上のアクセスポイントから他の可能な近隣情報を検出するために、特定の時間期間中に前記ＮＡＮ動作専用チャネルをスキャンすることをさらに備え、
前記第１のアクセスポイントは、前記検出された他の可能な近隣情報の対応する信号強度に基づいて前記第２のアクセスポイントへの前記近隣情報の通信を抑制するかどうかを決定する、請求項２に記載の方法。
【請求項８】
前記第１のアクセスポイントは、前記ＮＡＮに参加している第３のアクセスポイントからの別の近隣情報の受信信号強度が閾値を満たす場合、前記近隣情報の通信を抑制することを決定する、請求項７に記載の方法。
【請求項９】
前記近隣情報は、米国電気電子学会（ＩＥＥＥ）８０２．１１ａｉ規格に従った近隣レポートを含み、前記近隣レポートは、前記第１のアクセスポイントの近傍における近くのアクセスポイントのリストを含む、または
前記近隣情報は、前記第１のアクセスポイントのビーコンフレーム、プローブ応答、または高速初期リンクセットアップ（ＦＩＬＳ）ディスカバリフレームを使用して通信される、または
前記近隣情報は、米国電気電子学会（ＩＥＥＥ）８０２．１１ｖ規格に従った近隣レポートを含む、または
前記近隣情報は、低エネルギープロトコルに従って前記第２のアクセスポイントに通信され、前記低エネルギープロトコルは、ＮＡＮプロトコル、Ｂｌｕｅｔｏｏｔｈプロトコル、またはＢｌｕｅｔｏｏｔｈ低エネルギープロトコルを含む、請求項１に記載の方法。
【請求項１０】
前記近隣情報は、前記ＮＡＮに参加している第３のアクセスポイントに関する情報を含む、請求項１に記載の方法。
【請求項１１】
前記第３のアクセスポイントに関する前記情報は、前記第３のアクセスポイントの動作クラス、前記第３のアクセスポイントの一次動作チャネル、前記第３のアクセスポイントのターゲットビーコン送信時間、前記第３のアクセスポイントの基本サービスセット識別（ＢＳＳＩＤ）、前記第３のアクセスポイントのサービスセット識別（ＳＳＩＤ）、前記第３のアクセスポイントに関連付けられたセキュリティドメイン、および前記第３のアクセスポイントに関連付けられた１つ以上のアクセスネットワーククエリプロトコル（ＡＮＱＰ）パラメータのうちの少なくとも１つを含む、請求項１０に記載の方法。
【請求項１２】
前記近隣情報は、前記第１のアクセスポイントの動作チャネルを示す、請求項１に記載の方法。
【請求項１３】
装置であって、
ネイバーアウェアネットワーク（ＮＡＮ）に参加している第１のアクセスポイントにおいて近隣情報を生成するための手段と、前記近隣情報は、前記第１のアクセスポイントのネットワークプロパティおよび前記第１のアクセスポイントのブロードキャスト範囲内の少なくとも１つの他のアクセスポイントのネットワークプロパティのうちの少なくとも１つを示す、
前記ＮＡＮに参加している第２のアクセスポイントを検出するための手段と、ここにおいて、ＮＡＮデータパスチャネルは、前記第２のアクセスポイントを前記第１のアクセスポイントに通信可能に結合する、
前記第１のアクセスポイントの前記ネットワークプロパティおよび前記第１のアクセスポイントの前記ブロードキャスト範囲内の前記少なくとも１つの他のアクセスポイントの前記ネットワークプロパティのうちの少なくとも１つに関連するデータを前記第２のアクセスポイントに提供するために、前記第１のアクセスポイントから前記第２のアクセスポイントに前記近隣情報を通信するための手段と
を備える、装置。
【請求項１４】
前記近隣情報は、ＮＡＮ動作専用チャネルを介して前記第２のアクセスポイントに通信される、請求項１３に記載の装置。
【請求項１５】
命令を備えるコンピュータプログラム製品であって、前記命令は、請求項１乃至１２のいずれかに従う方法を実行するようにコンピュータによって実行可能である、コンピュータプログラム製品。
【手続補正２】
【補正対象書類名】明細書
【補正対象項目名】００７２
【補正方法】変更
【補正の内容】
【００７２】
[0076]開示されたインプリメンテーションの先の説明は、当業者が、開示されたインプリメンテーションを製造または使用することを可能にするために提供される。これらのインプリメンテーションへの様々な修正は、当業者に容易に明らかとなり、本明細書で定義された原理は、本開示の範囲から逸脱することなしに他のインプリメンテーションに適用され得る。したがって、本開示は、本明細書で示されたインプリメンテーションに限定されるようには意図されず、次の特許請求の範囲によって定義されるような原理および新規な特徴と一致する可能な限り最も広い範囲が付与されるべきである。
以下に、本願出願の当初の特許請求の範囲に記載された発明を付記する。
［Ｃ１］
ネイバーアウェアネットワーク（ＮＡＮ）プロパティの効率的な更新を可能にするためにＮＡＮ中のアクセスポイント間で近隣情報を通信するための方法であって、
前記ＮＡＮに参加している第１のアクセスポイントにおいて前記近隣情報を生成することと、前記近隣情報は、前記第１のアクセスポイントのネットワークプロパティおよび前記第１のアクセスポイントのブロードキャスト範囲内の少なくとも１つの他のアクセスポイントのネットワークプロパティのうちの少なくとも１つを示す、
前記第１のアクセスポイントにおいて、前記ＮＡＮに参加している第２のアクセスポイントを検出することと、ここにおいて、ＮＡＮデータパスチャネルは、前記第２のアクセスポイントを前記第１のアクセスポイントに通信可能に結合する、
前記第１のアクセスポイントの前記ネットワークプロパティおよび前記第１のアクセスポイントの前記ブロードキャスト範囲内の前記少なくとも１つの他のアクセスポイントの前記ネットワークプロパティのうちの少なくとも１つに関連するデータを前記第２のアクセスポイントに提供するために、前記第１のアクセスポイントから前記第２のアクセスポイントに前記近隣情報を通信することと
を備える、方法。
［Ｃ２］
前記近隣情報は、ＮＡＮ動作専用チャネルを介して前記第２のアクセスポイントに通信される、Ｃ１に記載の方法。
［Ｃ３］
前記ＮＡＮ動作専用チャネルは、前記ＮＡＮに参加している複数のアクセスポイントによって共有され、前記ＮＡＮ動作専用チャネルは、前記ＮＡＮデータパスチャネルとは異なり、前記複数のアクセスポイントは、前記第１のアクセスポイントおよび前記第２のアクセスポイントを含む、Ｃ２に記載の方法。
［Ｃ４］
前記近隣情報は、１つ以上のチャネルにわたって前記複数のアクセスポイントの動作を調整するための時間同期機能（ＴＳＦ）情報を含む、Ｃ３に記載の方法。
［Ｃ５］
前記ＴＳＦ情報は、ＮＡＮのビーコン送信動作、前記ＮＡＮ内のプロキシアナウンスメント、および前記ＮＡＮ内の別の送信のうちの少なくとも１つに基づく、Ｃ４に記載の方法。
［Ｃ６］
前記第２のアクセスポイントは、前記第２のアクセスポイントの１ホップ範囲内にある第３のアクセスポイントに前記近隣情報を通信する、Ｃ２に記載の方法。
［Ｃ７］
前記第２のアクセスポイントに前記近隣情報を前記通信することの前に、１つ以上のアクセスポイントから他の可能な近隣情報を検出するために、特定の時間期間中に前記ＮＡＮ動作専用チャネルをスキャンすることをさらに備え、
前記第１のアクセスポイントは、前記検出された他の可能な近隣情報の対応する信号強度に基づいて前記第２のアクセスポイントへの前記近隣情報の通信を抑制するかどうかを決定する、Ｃ２に記載の方法。
［Ｃ８］
前記第１のアクセスポイントは、前記ＮＡＮに参加している第３のアクセスポイントからの別の近隣情報の受信信号強度が閾値を満たす場合、前記近隣情報の通信を抑制することを決定する、Ｃ７に記載の方法。
［Ｃ９］
前記近隣情報は、米国電気電子学会（ＩＥＥＥ）８０２．１１ａｉ規格に従った近隣レポートを含み、前記近隣レポートは、前記第１のアクセスポイントの近傍における近くのアクセスポイントのリストを含む、Ｃ１に記載の方法。
［Ｃ１０］
前記近隣情報は、前記第１のアクセスポイントのビーコンフレーム、プローブ応答、または高速初期リンクセットアップ（ＦＩＬＳ）ディスカバリフレームを使用して通信される、Ｃ１に記載の方法。
［Ｃ１１］
前記近隣情報は、米国電気電子学会（ＩＥＥＥ）８０２．１１ｖ規格に従った近隣レポートを含む、Ｃ１に記載の方法。
［Ｃ１２］
前記近隣情報は、前記ＮＡＮに参加している第３のアクセスポイントに関する情報を含む、Ｃ１に記載の方法。
［Ｃ１３］
前記第３のアクセスポイントに関する前記情報は、前記第３のアクセスポイントの動作クラス、前記第３のアクセスポイントの一次動作チャネル、前記第３のアクセスポイントのターゲットビーコン送信時間、前記第３のアクセスポイントの基本サービスセット識別（ＢＳＳＩＤ）、前記第３のアクセスポイントのサービスセット識別（ＳＳＩＤ）、前記第３のアクセスポイントに関連付けられたセキュリティドメイン、および前記第３のアクセスポイントに関連付けられた１つ以上のアクセスネットワーククエリプロトコル（ＡＮＱＰ）パラメータのうちの少なくとも１つを含む、Ｃ１２に記載の方法。
［Ｃ１４］
前記近隣情報は、低エネルギープロトコルに従って前記第２のアクセスポイントに通信され、前記低エネルギープロトコルは、ＮＡＮプロトコル、Ｂｌｕｅｔｏｏｔｈプロトコル、またはＢｌｕｅｔｏｏｔｈ低エネルギープロトコルを含む、Ｃ１に記載の方法。
［Ｃ１５］
前記近隣情報は、前記第１のアクセスポイントの動作チャネルを示す、Ｃ１に記載の方法。
［Ｃ１６］
装置であって、
プロセッサと、
前記プロセッサに結合されたメモリと、ここにおいて、前記メモリは、
ネイバーアウェアネットワーク（ＮＡＮ）に参加している第１のアクセスポイントにおいて近隣情報を生成することと、前記近隣情報は、前記第１のアクセスポイントのネットワークプロパティおよび前記第１のアクセスポイントのブロードキャスト範囲内の少なくとも１つの他のアクセスポイントのネットワークプロパティのうちの少なくとも１つを示す、
前記第１のアクセスポイントにおいて、前記ＮＡＮに参加している第２のアクセスポイントを検出することと、ここにおいて、ＮＡＮデータパスチャネルは、前記第２のアクセスポイントを前記第１のアクセスポイントに通信可能に結合する、
を備える動作を実行するために前記プロセッサによって実行可能な命令を記憶する、
前記第１のアクセスポイントの前記ネットワークプロパティおよび前記第１のアクセスポイントの前記ブロードキャスト範囲内の前記少なくとも１つの他のアクセスポイントの前記ネットワークプロパティのうちの少なくとも１つに関連するデータを前記第２のアクセスポイントに提供するために、前記第１のアクセスポイントから前記第２のアクセスポイントに前記近隣情報を通信するための送信機と
を備える、装置。
［Ｃ１７］
前記近隣情報は、ＮＡＮ動作専用チャネルを介して前記第２のアクセスポイントに通信される、Ｃ１６に記載の装置。
［Ｃ１８］
前記ＮＡＮ動作専用チャネルは、前記ＮＡＮに参加している複数のアクセスポイントによって共有され、前記ＮＡＮ動作専用チャネルは、前記ＮＡＮデータパスチャネルとは異なり、前記複数のアクセスポイントは、前記第１のアクセスポイントおよび前記第２のアクセスポイントを含む、Ｃ１７に記載の装置。
［Ｃ１９］
前記近隣情報は、１つ以上のチャネルにわたって前記複数のアクセスポイントの動作を調整するための時間同期機能（ＴＳＦ）情報を含む、Ｃ１８に記載の装置。
［Ｃ２０］
前記第２のアクセスポイントは、前記第２のアクセスポイントの１ホップ範囲内にある第３のアクセスポイントに前記近隣情報を通信する、Ｃ１７に記載の装置。
［Ｃ２１］
前記動作は、
前記第２のアクセスポイントに前記近隣情報を前記通信することの前に、１つ以上のアクセスポイントから他の可能な近隣情報を検出するために、特定の時間期間中に前記ＮＡＮ動作専用チャネルをスキャンすることをさらに備え、
前記第１のアクセスポイントは、前記検出された他の可能な近隣情報の対応する信号強度に基づいて前記第２のアクセスポイントへの前記近隣情報の通信を抑制するかどうかを決定する、Ｃ１７に記載の装置。
［Ｃ２２］
前記近隣情報は、米国電気電子学会（ＩＥＥＥ）８０２．１１ａｉ規格に従った、またはＩＥＥＥ８０２．１１ｖ規格に従った近隣レポートを含む、Ｃ１７に記載の装置。
［Ｃ２３］
前記近隣情報は、前記ＮＡＮに参加している第３のアクセスポイントに関する情報を含む、Ｃ１６に記載の装置。
［Ｃ２４］
前記第３のアクセスポイントに関する前記情報は、前記第３のアクセスポイントの動作クラス、前記第３のアクセスポイントの一次動作チャネル、前記第３のアクセスポイントのターゲットビーコン送信時間、前記第３のアクセスポイントの基本サービスセット識別（ＢＳＳＩＤ）、前記第３のアクセスポイントのサービスセット識別（ＳＳＩＤ）、前記第３のアクセスポイントに関連付けられたセキュリティドメイン、および前記第３のアクセスポイントに関連付けられた１つ以上のアクセスネットワーククエリプロトコル（ＡＮＱＰ）パラメータのうちの少なくとも１つを含む、Ｃ２３に記載の装置。
［Ｃ２５］
前記近隣情報は、低エネルギープロトコルに従って前記第２のアクセスポイントに通信される、Ｃ１６に記載の装置。
［Ｃ２６］
ネイバーアウェアネットワーク（ＮＡＮ）プロパティの効率的な更新を可能にするためにＮＡＮ中のアクセスポイント間で近隣情報を通信するための命令を備える非一時的なコンピュータ可読媒体であって、前記命令は、プロセッサによって実行されたとき、前記プロセッサに、
前記ＮＡＮに参加している第１のアクセスポイントにおいて前記近隣情報を生成することと、前記近隣情報は、前記第１のアクセスポイントのネットワークプロパティおよび前記第１のアクセスポイントのブロードキャスト範囲内の少なくとも１つの他のアクセスポイントのネットワークプロパティのうちの少なくとも１つを示す、
前記第１のアクセスポイントにおいて、前記ＮＡＮに参加している第２のアクセスポイントを検出することと、ここにおいて、ＮＡＮデータパスチャネルは、前記第２のアクセスポイントを前記第１のアクセスポイントに通信可能に結合する、
前記第１のアクセスポイントの前記ネットワークプロパティおよび前記第１のアクセスポイントの前記ブロードキャスト範囲内の前記少なくとも１つの他のアクセスポイントの前記ネットワークプロパティのうちの少なくとも１つに関連するデータを前記第２のアクセスポイントに提供するために、前記第１のアクセスポイントから前記第２のアクセスポイントへの前記近隣情報の通信を開始することと
を備える動作を実行させる、非一時的なコンピュータ可読媒体。
［Ｃ２７］
前記近隣情報は、ＮＡＮ動作専用チャネルを介して前記第２のアクセスポイントに通信される、Ｃ２６に記載の非一時的なコンピュータ可読媒体。
［Ｃ２８］
前記ＮＡＮ動作専用チャネルは、前記ＮＡＮに参加している複数のアクセスポイントによって共有され、前記ＮＡＮ動作専用チャネルは、前記ＮＡＮデータパスチャネルとは異なり、前記複数のアクセスポイントは、前記第１のアクセスポイントおよび前記第２のアクセスポイントを含む、Ｃ２７に記載の非一時的なコンピュータ可読媒体。
［Ｃ２９］
装置であって、
ネイバーアウェアネットワーク（ＮＡＮ）に参加している第１のアクセスポイントにおいて近隣情報を生成するための手段と、前記近隣情報は、前記第１のアクセスポイントのネットワークプロパティおよび前記第１のアクセスポイントのブロードキャスト範囲内の少なくとも１つの他のアクセスポイントのネットワークプロパティのうちの少なくとも１つを示す、
前記ＮＡＮに参加している第２のアクセスポイントを検出するための手段と、ここにおいて、ＮＡＮデータパスチャネルは、前記第２のアクセスポイントを前記第１のアクセスポイントに通信可能に結合する、
前記第１のアクセスポイントの前記ネットワークプロパティおよび前記第１のアクセスポイントの前記ブロードキャスト範囲内の前記少なくとも１つの他のアクセスポイントの前記ネットワークプロパティのうちの少なくとも１つに関連するデータを前記第２のアクセスポイントに提供するために、前記第１のアクセスポイントから前記第２のアクセスポイントに前記近隣情報を通信するための手段と
を備える、装置。
［Ｃ３０］
前記近隣情報は、ＮＡＮ動作専用チャネルを介して前記第２のアクセスポイントに通信される、Ｃ２９に記載の装置。